(57)【要約】【課題】車両からの排ガスを分析するための分析装置などから得られる信号をアンプに収集する際に、複雑な構造を有するケーブルなどを用いることなく、また、分析装置やアンプの位置についてある程度自由度を持たせることを特徴とするような分析システムを提供すること。【解決手段】分析手段とアンプとを接続する中継コネクタ基板内に、分析手段からの信号をアンプ側のチャンネルの適切なチャンネルに変換して入力するための電気信号変換部を設け、分析手段側の接続部のコネクタ形状を同じにすることで、分析手段と中継コネクタ基板とそ接続するコネクタケーブルを同一のものを使用することを可能とした。【選択図】　　　図１
2004104501.tif 000002
【特許請求の範囲】
【請求項１】
分析機器等の分析手段と、この分析手段からのデータを収集し、制御および管理を行う制御部としてのアンプと、前記分析手段およびアンプとをコネクタケーブルを介して接続するコネクタ基板とからなる分析機器からの信号収集システムであって、前記コネクタ基板に設けられている分析手段側の複数の接続部がそれぞれ同一形状であり、かつ、前記分析手段とをつなげるコネクタケーブルが、各々独立かつ同一のケーブルであることを特徴とする分析機器からの信号収集システム。
【請求項２】
前記分析手段側の複数の接続部の各々におけるチャンネルが、同一のチャンネル数であることを特徴とする請求項１に記載の分析機器からの信号収集システム。
【発明の詳細な説明】
【０００１】
【発明の属する技術分野】
本発明は、エンジンからの排ガスの測定等に用いるための分析機器からの信号を収集するシステムに関する。
【０００２】
【従来の技術】
分析機器等からの信号を収集する技術において、通常、複数の機器を１つのアンプに接続し、信号を収集することが行われている。このような複数の機器からの信号を１つのアンプに入力させて信号収集を行う場合において、中継コネクタ基板を用いられることが一般に行われている。（例えば特許文献１）
【特許文献１】
特開２００２−２５５６１
【０００３】
例えば、２台の分析機器を１つのアンプに接続する場合、分析機器からの信号として例えば８チャンネルの信号を用いるとすると、アンプは１６チャンネルの信号を取り込むようなキャパシティが必要である。このような場合の従来のシステムを図４、図５を用いて説明する。図４において、１は車両、２は車両に組み込まれたエンジン、３、３’はエンジン２からの排ガス等を分析するための分析機器などの分析手段、４は中継コネクタ基板、５はアンプである。分析手段３、３’は、中継コネクタ基板４とコネクタケーブル１１によって接続され、中継コネクタ基板４はアンプ５とコネクタケーブル１０によって接続されている。なお、２０はアンプ５に信号を入力するためのアンプ５に組み込まれたコネクタ接続部であり、２１，２２はコネクタケーブル１０の両端に設けられた接続部である。２３、２４は中継コネクタ基板１４に設けられたコネクタ接続部であり、２３はアンプ５側、２４は分析手段３，３’側に対応するように設けられている。２５、２６、２７はコネクタケーブル１１の両端に設けられた接続部であり、２５は中継コネクタ基板の接続部２４に対応し、２６、２７はそれぞれ分析手段３、３’に接続される。
【０００４】
図５は、図４に示した従来のシステムのうち、中継コネクタ基板４と分析手段３、アンプ５とを接続する接続部分を詳細に示す図である。アンプ５側に対応するように設けられた接続部２３および分析手段側に対応するように設けられた接続部２４は、１６チャンネルの信号を取り込むための構造となっており、点線で囲まれた図で示すような１６ピンのコネクタ構造となっている。ゆえに、中継コネクタ基板４とアンプ５とを接続する電気接続部（例えばコネクタケーブル１０）は、１６チャンネル−１６チャンネルの１対１の対応をしており、電気的に単純な構造（例えば単なる１６チャンネルのケーブル）となっている。
【０００５】
さらに、コネクタケーブル１１は、中継コネクタ基板側の接続部２４に対応する接続部２５と、分析手段３、３’の各々に対応する接続部２６、２７によって、分析手段３、３’からの信号を中継コネクタ基板４に送信する働きをしている。ここで、接続部２５は、接続部２３、２４と同様に１６チャンネルの信号を送信するための構造を有しており、接続部２６および２７は、８チャンネルの信号を送信するための構造を有している。これによって、分析手段３から得られる８チャンネルの信号は、それぞれを中継コネクタ基板４の分析手段３側の接続部２４（またはコネクタケーブル１１の接続部２５）に送信され、１６チャンネルの信号として取り込まれる。すなわち、分析手段３からの８チャンネルの信号は、接続部２４（または２５）のチャンネル（１）〜（８）に入力され、分析手段３’からの８チャンネルの信号は、接続部２４（または２５）のチャンネル（９）〜（１６）に入力されて、（１）〜（１６）の信号として接続部２４に入力されることになる。そのため、コネクタケーブル１１は、元来１６チャンネルのケーブルを切り裂くなどの加工を行って８チャンネル−８チャンネルのケーブルに分割した股割コネクタケーブルを用いる必要があった。
【０００６】
【発明が解決しようとする課題】
ところが、このような股割ケーブルを作成しようとすると、１６チャンネルケーブルを切り裂いて加工し、各々８チャンネルのケーブルを作成しなければならないという工数が必要になるとともに、ケーブル１１の１１▲１▼と１１▲２▼を分析手段への接続する順序を間違えないように注意しなければならない。また、分析手段３から得られる信号が４チャンネルの場合では、前記アンプ５に４台の分析手段を接続する場合においては、ケーブル１１はもっと複雑に（４チャンネル×４）加工する必要があり、さらに、ケーブル１１の長さが分析手段３と中継コネクタ基板４との距離の制約となっていた。これによって、各々の分析手段やアンプ５の配置する位置も、ケーブル１１の長さによってかなりの制約を受けることになっていた。
【０００７】
【課題を解決するための手段】
本発明は、上記のような問題点を考慮してなされたもので、分析機器等の分析手段と、この分析手段からのデータを収集し、制御および管理を行う制御部としてのアンプと、前記分析手段およびアンプとをコネクタケーブルを介して接続するコネクタ基板とからなる分析機器からの信号収集システムであって、前記コネクタ基板に設けられている分析手段側の複数の接続部がそれぞれ同一形状であり、かつ、前記分析手段とをつなげるコネクタケーブルが、各々独立かつ同一のケーブルであることを特徴とする分析機器からの信号収集システムを提案するものである。
【０００８】
また、前記分析手段側の複数の接続部の各々におけるチャンネルが、同一のチャンネル数であってもよい。（請求項２）
【発明の実施の形態】
【０００９】
図１は、本発明の一例として、１６チャンネルのアンプ５に２本の８チャンネルのコネクタケーブル１２、１３を接続し、信号を入力することを可能とした中継コネクタ基板１４の構成を示す図である。なお、図１において、図４または５と同一の構成を表す部分については、同一の符号を付している。図１において、１２、１３は中継コネクタ基板１４と分析手段３、３’とを接続するための独立したコネクタケーブルであり、中継コネクタ基板１４の接続部３０、３１と、それぞれ接続部３４、３５で接続されている。また、分析手段３、３’とは、接続部３４、３５によって接続されている。コネクタケーブル１２、１３は、通常の８チャンネルの信号を送信するためのケーブルであり、実質的に同様の構成を有している。ゆえに、コネクタケーブル１２、１３の接続部３２〜３４は、それぞれ実質的に同一形状の８チャンネル（８ピン）構造となっている。そのため、接続部３２、３３に対応する中継コネクタ基板１４側の接続部３０、３１の形状も、接続部３２、３３に対応する形状をしており、８チャンネル（８ピン）構造となっている。図２に中継コネクタ基板１４に接続されたコネクタケーブル１２、１３の斜視図を示す。この斜視図では、コネクタケーブル１２、１３の長さが異なる場合の図を示している。
【００１０】
分析手段３、３’から得られた８チャンネルの信号は、中継コネクタ基板１４に８チャンネル×２の信号としてそれぞれ取り込まれ、中継コネクタ基板１４（図示せず）内の電気信号変換部４０によって、１６チャンネルの信号としてアンプ５側に送信される。図３に中継コネクタ基板１４内の電気信号変換部４０の詳細を示しながら説明する。
【００１１】
２３は中継コネクタ基板１４のアンプ５側に設けられた接続部であって、１６ピン構造（チャンネル（１）〜（１６））を有している。３０および３１は、コネクタケーブル１２、１３の接続部３２、３３が接続される接続部であって、それぞれ８チャンネル（８ピン）構造である。接続部３２，３３より入力された８チャンネル×２の信号は、中継コネクタ基板１４内の電気信号変換部４０によって、いずれか一方の８チャンネルを１６チャンネルの信号（１）〜（８）に対応するように送信し、他方の８チャンネルの信号は１６チャンネルの信号（９）〜（１６）に対応するように送信される。図３においては、接続部３１から入力された８チャンネルの信号を信号（１）〜（８）に、接続部３２から入力された８チャンネルの信号を信号（９）〜（１６）に入力する例を示している。
【００１２】
図３における電気信号変換部４０は、特に複雑な構造を要するものではなく、１６チャンネルの信号を、信号（１）〜（８）までの８チャンネルと、（９）〜（１６）までの８チャンネルとに分割するような構造を有していればよい。また、本発明を構成する中継コネクタケーブル基板１４の電気信号変換部は、このような構造のみに限定されるものではなく、例えば１６チャンネルケーブルを８チャンネル−８チャンネルに分割した股割ケーブルを中継コネクタ基板１４内に組み込み、アンプ側の接続部２０と、分析手段側の接続部３１、３２とを接続するような構造であってもよい。
【００１３】
上記例において、コネクタケーブル１２、１３は、前述のように長さを異ならせていてもよい。その場合、配置する分析手段の位置によって長さの異なるケーブルを使い分けることで、分析手段３、３’の位置に因らずにアンプ５を配置することができる。
【００１４】
また、本実施例においては、２本の８チャンネルのコネクタケーブルを用いて１６チャンネルのアンプに信号を送信する例を説明したが、分析手段３からの信号が４チャンネルの場合、４台の分析手段３を４本の４チャンネルのコネクタケーブルを用いて、１６チャンネルのアンプに信号を送信するような実施例においてもに本発明は有効である。この場合、１本のコネクタケーブル（１６チャンネル）を加工し、４本の股割ケーブルを作成しなければならないという手間が省けるため、より大きな工数削減が期待できる。同時に、これらのケーブルの長さを選択することで、各々のケーブル接続される分析手段について配置する位置の制約が少なくなるため、スペースの限られた場所における分析などの際には、より効果的である。
【発明の効果】
【００１５】
以上に記載した本発明によれば、同一のケーブルを用いて分析手段からの信号を中継コネクタ基板に導くことが可能になるため、コネクタケーブルを複数種類準備する必要がなく、また、各々の分析手段に独立したコネクタケーブルを接続しているため、分析手段の配置する位置などの制約が少なくなるという効果がある。
【図面の簡単な説明】
【図１】本発明の一実施形態で用いる分析システムの全体構成を示す説明図である。
【図２】本発明の一実施形態で用いる分析システムの構成を示す説明図である
【図３】本発明の一実施形態で用いる中継コネクタ基板の内部を示すための図である。
【図４】従来の分析システムの全体構成を示す説明図である。
【図５】従来の分析システムの一例の構成を示す図である
【符号の説明】
１…車両、２…エンジン、３…分析手段、４…中継コネクタ基板、５…アンプ、
１０，１１、１２、１３…コネクタケーブル
【図１】
2004104501.tif 000003
【図２】
2004104501.tif 000004
【図３】
2004104501.tif 000005
【図４】
2004104501.tif 000006
【図５】
2004104501.tif 000007